(57)【要約】【課題】本体枠に設けた開閉検出手段によって前面扉と本体枠の開閉状態を個別に検出することができる弾球遊技機を提供する。【解決手段】機枠１に対する本体枠２の開放動作と本体枠２に対する前面扉３の開放動作とを検出可能な扉開閉検出装置３０が、本体枠２に配設された光透過型のフォトセンサ３６と、フォトセンサ３６の光路を横切るように移動可能に配設された一対の回転レバー３３，３４と、両回転レバー３３，３４を機枠１と前面扉３に向けて互いに逆向きに付勢する捩りコイルばね３５とを有すると共に、本体枠２または前面扉３の開放動作に伴っていずれか一方の回転レバー３３，３４が移動したとき、スリット３４ｆの有無に応じて各回転レバー３３，３４がフォトセンサ３６の光路を互いに異なる回数だけ遮断するように構成した。【選択図】図５
2013055990.tif 000002
【特許請求の範囲】
【請求項１】
機枠と、この機枠に対してヒンジ機構を介して開閉可能に軸支された本体枠と、この本体枠に対して別のヒンジ機構を介して開閉可能に軸支された前面扉と、前記機枠に対する前記本体枠の開放動作と前記本体枠に対する前記前面扉の開放動作とを検出可能な開閉検出手段とを備えた弾球遊技機において、
前記開閉検出手段が、前記本体枠に配設された光透過型のフォトセンサと、このフォトセンサの光路を横切るように移動可能に配設された一対の検知体と、これら両検知体を前記機枠と前記前面扉に向けて互いに逆向きに付勢するばね部材とを有しており、
前記本体枠と前記前面扉がいずれも閉鎖状態にあるとき、前記両検知体は前記フォトセンサの光路から外れた非検知位置に保持されており、前記本体枠が前記機枠に対して開放動作されたとき、前記両検知体のいずれか一方が前記非検知位置から移動して前記フォトセンサの光路をＮ回（Ｎは自然数）だけ遮断すると共に、前記前面扉が前記本体枠に対して開放動作されたとき、前記両検知体のいずれか他方が前記非検知位置から移動して前記フォトセンサの光路を前記Ｎと異なる回数だけ遮断することを特徴とする弾球遊技機。
【請求項２】
請求項１の記載において、支軸が立設されたベース部材を備えると共に、前記両検知体が前記支軸に回転可能に支持された回転レバーであり、これら両回転レバーの少なくとも一方に前記フォトセンサの光路を通過させるスリットが形成されていることを特徴とする弾球遊技機。
【請求項３】
請求項２の記載において、前記両回転レバーに対する前記ばね部材の付勢力を大小で異ならせると共に、いずれか一方の前記回転レバーに他方の前記回転レバーと当接可能な係合突起を形成したことを特徴とする弾球遊技機。
【発明の詳細な説明】
【技術分野】
【０００１】
本発明は、遊技盤を目視可能な前面扉が本体枠に対して開閉可能に支持されていると共に、この本体枠が機枠に対して開閉可能に支持されている弾球遊技機に係り、特に、機枠に対する本体枠の開放動作と本体枠に対する前面扉の開放動作とを検出可能な開閉検出手段の改良に関するものである。
【背景技術】
【０００２】
弾球遊技機の代表例として知られているパチンコ機は、遊技場の島設備に設置される縦長方形状の機枠（外枠）と、この機枠にヒンジ機構を介して扉状に開閉可能に取り付けられた本体枠と、この本体枠の内側に収容された遊技盤と、本体枠の前面に別のヒンジ機構を介して開閉可能に取り付けられた前面扉とを備えており、前面扉の中央部に形成された開口部には遊技盤を目視可能な透明板が取り付けられている。本体枠の背面側には、電装部品の一つである液晶表示装置が取り付けられる他、それ以外の電装部品として遊技に関する制御を行う制御処理装置（制御基板）や、賞球払出装置による賞球の払い出しを制御する払出基板、各部に電力を供給する電源基板、賞球数や扉開閉状態等のパチンコ機に関する各種情報を遊技場のホールコンピュータに出力する外部端子基板等が取り付けられている。
【０００３】
このように概略構成されたパチンコ機において、遊技者が前面扉や本体枠を無断で開放して不正行為をするのを防止するために、通常は本体枠の背面側と前面側にそれぞれ検知スイッチを設け、これら２つの検知スイッチの出力信号に基づいて機枠に対する本体枠の開閉状態と本体枠に対する前面扉の開閉状態とを個別に検知するようにしている。しかしながら、前面扉と本体枠の開閉状態を別々の検知スイッチを用いて検出しなければならないため、これら各検知スイッチの設置スペースが大きくなったり、各検知スイッチを払出基板や制御基板と電気的に接続するワイヤーハーネス類の引き回しが煩雑になり、コスト高や信頼性の低下を招来するという問題があった。
【０００４】
そこで、従来より、前面扉の背面に突設した駆動棒を本体枠に設けた貫通孔に対して出入可能とし、この駆動棒が機枠の前面側に設けた検知スイッチの接点を切換動作することにより、前面扉の開閉状態と本体枠の開閉状態とを１つの検知スイッチを用いて検出できるようにしたパチンコ機が提案されている（例えば、特許文献１参照）。ここで、検知スイッチはヒンジレバーを有する常閉接点タイプのマイクロスイッチであり、駆動棒がヒンジレバーを押圧することによって検知スイッチはオフ状態に維持され、駆動棒によるヒンジレバーの押圧が解除されると検知スイッチはオフからオン状態へ切り換わるようになっている。
【０００５】
このような開閉検出手段を用いたパチンコ機においては、前面扉と本体枠の双方が閉鎖されているとき、駆動棒が本体枠の貫通孔を挿通して検知スイッチのヒンジレバーを押圧しているため、検知スイッチはオフ状態に維持されている。一方、機枠に対して本体枠が開放されると、前面扉が本体枠と一体に回動することで駆動棒が検知スイッチから離反するため、ヒンジレバーの押圧が解除されて検知スイッチはオフ状態からオン状態へと切り換わる。また、閉じられた本体枠に対して前面扉が開放されると、前面扉の回動に伴って駆動棒が本体枠の貫通孔から抜け出るため、この場合も駆動棒によるヒンジレバーの押圧が解除されて検知スイッチはオフ状態からオン状態へと切り換わる。したがって、検知スイッチから出力されるオン信号に基づいて、本体枠の開放動作と前面扉の開放動作とをそれぞれ検出することができる。
【先行技術文献】
【特許文献】
【０００６】
【特許文献１】特開２００２−５２１４４号公報
【発明の概要】
【発明が解決しようとする課題】
【０００７】
しかしながら、特許文献１に開示された従来のパチンコ機では、本体枠が機枠に対して開放された時も前面扉が本体枠に対して開放された時も、検知スイッチは同じようにオン動作するため、本体枠と前面扉のどちらが開放されたのか区別できないという難点があった。また、前面扉の背面に突設した駆動棒が本体枠の貫通孔を挿通して検知スイッチをオン／オフ動作する構成のため、検知スイッチは必然的に機枠の前面側に設けなければならず、その場合、検知スイッチに接続したワイヤーハーネス類をヒンジ部を経由して本体枠の払出基板や制御基板等まで引き回す必要があり、ワイヤーハーネス類の引き回し経路が著しく複雑になってしまうという問題もあった。
【０００８】
本発明は、このような従来技術の実情に鑑みてなされたもので、その目的は、本体枠に設けた開閉検出手段によって前面扉と本体枠の開閉状態を個別に検出することができる弾球遊技機を提供することにある。
【課題を解決するための手段】
【０００９】
上記の目的を達成するために、本発明は、機枠と、この機枠に対してヒンジ機構を介して開閉可能に軸支された本体枠と、この本体枠に対して別のヒンジ機構を介して開閉可能に軸支された前面扉と、前記機枠に対する前記本体枠の開放動作と前記本体枠に対する前記前面扉の開放動作とを検出可能な開閉検出手段とを備えた弾球遊技機において、前記開閉検出手段が、前記本体枠に配設された光透過型のフォトセンサと、このフォトセンサの光路を横切るように移動可能に配設された一対の検知体と、これら両検知体を前記機枠と前記前面扉に向けて互いに逆向きに付勢するばね部材とを有しており、前記本体枠と前記前面扉がいずれも閉鎖状態にあるとき、前記両検知体は前記フォトセンサの光路から外れた非検知位置に保持されており、前記本体枠が前記機枠に対して開放動作されたとき、前記両検知体のいずれか一方が前記非検知位置から移動して前記フォトセンサの光路をＮ回（Ｎは自然数）だけ遮断すると共に、前記前面扉が前記本体枠に対して開放動作されたとき、前記両検知体のいずれか他方が前記非検知位置から移動して前記フォトセンサの光路を前記Ｎと異なる回数だけ遮断するようにした。
【００１０】
このように構成された弾球遊技機では、前面扉と本体枠の双方が閉じているとき、一対の検知体は共にフォトセンサの光路から外れた非検知位置に保持されているため、フォトセンサから扉閉鎖状態を示す信号が出力される。そして、機枠に対して本体枠が開放動作されると、それまで機枠に当接していた一方の検知体がばね部材の付勢力を受けて非検知位置からフォトセンサに向かって移動し、該検知体の移動中にフォトセンサの光路がＮ回（例えば１回）だけ遮断されるため、フォトセンサから本体枠の開放状態を示す所定の波形信号が出力される。また、本体枠に対して前面扉が開放動作されると、それまで前面扉に当接していた他方の検知体がばね部材の付勢力を受けて非検知位置からフォトセンサに向かって移動し、該検知体の移動中にフォトセンサの光路が上記Ｎと異なる回数（例えば２回）だけ遮断されるため、フォトセンサから前面扉の開放状態を示す別の波形信号が出力される。ここで、開閉検出手段を構成する一対の検知体とばね部材およびフォトセンサは全て本体枠に集約的に配置されるため、本体枠に設けた開閉検出手段によって前面扉と本体枠の開閉状態を個別に検出することができ、フォトセンサに接続されるワイヤーハーネス類の引き回しを本体枠側のみで簡単に行うことができる。
【００１１】
上記の構成において、両検知体はフォトセンサの光路を直線的に横切るスライドタイプであっても良いが、支軸が立設されたベース部材を備えると共に、両検知体が支軸に回転可能に支持された回転レバーであり、これら両回転レバーの少なくとも一方にフォトセンサの光路を通過させるスリットが形成されていることが好ましい。このように回転タイプの検知体を用いると、平面形状の異なる一対の回転レバーがベース部材の支軸を中心に回転することにより、スリットの有無あるいはスリット数の違いに応じてフォトセンサから異なる出力波形が得られるため、これら出力波形に基づいて本体枠と前面扉のいずれが開放されたのか容易に判定することができる。しかも、開閉検出手段の構成部品をベース部材に組み込んで１つのユニット品として取り扱うことが可能になるため、開閉検出手段の本体枠に対する組立作業性を著しく高めることができる。
【００１２】
この場合において、両回転レバーに対するばね部材の付勢力を大小で異ならせると共に、いずれか一方の回転レバーに他方の回転レバーと当接可能な係合突起を形成すると、例えば本体枠の開放動作に引き続いて前面扉を開放動作したとき、大きな付勢力を受けて回転する回転レバーが相手方の回転レバーを押し退けながらフォトセンサの光路内に侵入可能となるため、本体枠と前面扉のいずれか一方の開放動作だけでなく、本体枠と前面扉の両方が開放されたことも検出することができる。
【発明の効果】
【００１３】
本発明の弾球遊技機は、機枠に対する本体枠の開放動作と本体枠に対する前面扉の開放動作とを検出可能な開閉検出手段が、本体枠に配設された光透過型のフォトセンサと、このフォトセンサの光路を横切るように移動可能に配設された一対の検知体と、これら両検知体を機枠と前面扉に向けて互いに逆向きに付勢するばね部材とを有すると共に、本体枠または前面扉の開放動作に伴っていずれか一方の検知体が移動するとき、各検知体がフォトセンサの光路を互いに異なる回数だけ遮断するように構成したので、１つのフォトセンサの出力波形に基づいて前面扉と本体枠の開閉状態を個別に検出することができると共に、フォトセンサに接続されるワイヤーハーネス類の引き回しを本体枠側のみで簡単に行うことができる。
【図面の簡単な説明】
【００１４】
【図１】本発明の実施形態例に係るパチンコ機の斜視図である。
【図２】図１に示すパチンコ機の前面扉を開放した状態の斜視図である。
【図３】図１に示すパチンコ機の前面扉と本体枠を共に開放した状態の斜視図である。
【図４】図１に示すパチンコ機の背面図である。
【図５】図１のパチンコ機に備えられる扉開閉検出装置の斜視図である。
【図６】該扉開閉検出装置の主要部を示す斜視図である。
【図７】該扉開閉検出装置に備えられる第１および第２回転レバーの裏面図である。
【図８】該扉開閉検出装置の分解斜視図である。
【図９】本体枠と前面扉の双方が閉じられた状態における該扉開閉検出装置の説明図である。
【図１０】機枠に対して本体枠が開放されたときの該扉開閉検出装置の動作説明図である。
【図１１】本体枠に対して前面扉が開放されたときの該扉開閉検出装置の動作説明図である。
【図１２】本体枠と前面扉の双方が開放されたときの該扉開閉検出装置の動作説明図である。
【図１３】該扉開閉検出装置に備えられるフォトセンサの出力波形を示すタイミングチャートである。
【発明を実施するための形態】
【００１５】
発明の実施の形態について図面を参照して説明すると、図１に示すように、本発明の実施形態例に係るパチンコ機（弾球遊技機）Ｐは、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１６】
図２と図３に示すように、機枠１の左側枠部には上側軸受け体５と下側軸受け体（図示省略）が固着されており、この下側軸受け体よりも下方の左下隅部には大型のスピーカ６が配設されている。一方、本体枠２の左側枠部の上下両端には第１ピン（図示省略）が設けられており、これら両第１ピンを上側軸受け体５と下側軸受け体に軸支することによって、本体枠２を機枠１に対して開閉自在に支持する第１ヒンジ機構が構成されている。
【００１７】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカー装置、遊技釘、風車、アウト口等が設けられている。遊技盤７よりも下方の本体枠２は前面扉３によって覆い隠される設置部２ｂとなっており、この設置部２ｂ内の下部中央には遊技球を遊技領域９に向けて発射する発射装置１０が配設されている。
【００１８】
本体枠２の右側枠部は第１ヒンジ機構と反対側の自由端側であり、この右側枠部にはシリンダ錠１１ａを有する施錠装置１１が設置されている。図示省略されているが、この施錠装置１１は本体枠２の裏面に配置された後部施錠杆と本体枠２の前面に配置された前部施錠杆とを備えており、常態では、施錠装置１１の後部施錠杆により本体枠２が機枠１に対して施錠されると共に、前部施錠杆により前面扉３が本体枠２に対して施錠されている。そして、シリンダ錠１１ａの鍵穴に図示せぬ鍵を差し込み、この鍵を一方向（例えば時計回り）へ回動すると、後部施錠杆が上動して本体枠２が開錠されるようになっている。また、シリンダ錠１１ａの鍵穴に差し込んだ鍵を他方向（反時計回り）へ回動すると、前部施錠杆が上動して前面扉３が開錠されるようになっている。さらに、本体枠２の自由端側の右下隅部には後述する扉開閉検出装置３０が組み込まれており、この扉開閉検出装置３０によって本体枠２の機枠１に対する開閉状態と前面扉３の本体枠２に対する開閉状態とを個別に検出できるようになっている。
【００１９】
前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。
【００２０】
図１に戻り、前面扉３には遊技盤７の盤面に対向する大きな開口３ａが開設されており、この開口３ａは透明板４によって塞がれている。前面扉３の前面上部には比較的小型のスピーカ１２が左右に１個ずつ配設されており、これらスピーカ１２と前述した大型のスピーカ６とによって遊技に関する様々な効果音を発するようになっている。また、前面扉３の前面下部には、遊技盤７の裏面に配設された賞球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１３の右側方には発射装置１０の発射強度を調整するための操作ハンドル１６が配設されている。
【００２１】
図４に示すように、このパチンコ機Ｐの背面側には、遊技に関する主要な処理を行う主制御基板１７と、主制御基板１７からの指令を受けて可変表示装置やスピーカ等の各種装置を制御する副制御基板１８と、前述した賞球払出装置１９と、主制御基板１７からの指令を受けて賞球払出装置１９を制御する払出制御基板２０と、操作ハンドル１６の回動量に応じて発射装置１０の作動を制御する発射制御基板２１と、大当たり回数等の各種情報を遊技場のホールコンピュータに出力する外部端子基板２２等が設けられている。
【００２２】
図５〜図８に示すように、前記扉開閉検出装置３０は、上下方向へ延びる支軸３１を有するベース部材３２と、支軸３１に回転可能に支持された第１回転レバー３３および第２回転レバー３４と、これら両回転レバー３３，３４を機枠１と前面扉３に向けて互いに逆向きに回動付勢する捩りコイルばね（ばね部材）３５と、両回転レバー３３，３４の回転を検出する光透過型のフォトセンサ３６とによって構成されており、両回転レバー３３，３４と捩りコイルばね３５およびフォトセンサ３６はベース部材３２に組み込まれて１つのユニット部品として構成されている。
【００２３】
ベース部材３２は上面を開放した箱状体であって、ネジ止め等の適宜固定手段を用いて本体枠２の右下隅部に取り付けられるようになっている。支軸３１はベース部材３２の内底面の略中央部に立設されており、フォトセンサ３６はベース部材３２の短辺側壁に取り付けられている。また、ベース部材３２の相対向する長辺側壁には切り欠き３２ａ，３２ｂが形成されており、一方の切り欠き３２ａは本体枠２の裏面側に露出し、他方の切り欠き３２ｂは本体枠２の前面側に露出している。
【００２４】
第１回転レバー３３には、軸孔３３ａを有する円筒部３３ｂと、円筒部３３ｂの外周面から径方向外側へ突出する第１検知アーム３３ｃと、円筒部３３ｂの外周面から検知アーム３３ｃと逆向きに突出する第１作動翼片３３ｄとが形成されており、作動翼片３３ｄは下方へ垂下する第１受部３３ｅを有している。第１検知アーム３３ｃはスリットのない単純形状に形成されており、図７に示すように、この第１検知アーム３３ｃの下面には係合突起３３ｆが形成されている。
【００２５】
第２回転レバー３４には、軸孔３４ａを有する円筒部３４ｂと、円筒部３４ｂの外周面から径方向外側へ突出する第２検知アーム３４ｃと、円筒部３４ｂの外周面から第２検知アーム３４ｃと逆向きに突出する第２作動翼片３４ｄとが形成されており、第２作動翼片３４ｄは上方へ起立する第２受部３４ｅを有している。第２検知アーム３４ｃは平面的に見て二股形状に形成されており、その先端部にスリット３４ｆを有している。
【００２６】
そして、支軸３１に対して第２回転レバー３４の軸孔３４ａと第１回転レバー３３の軸孔３３ａとを捩りコイルばね３５を挟んで順次挿入した後、支軸３１の上端面に鍔付きネジ３７を螺入することにより、両回転レバー３３，３４は脱落が防止された状態で支軸３１に回転可能に支持される。その結果、第１回転レバー３３の第１受部３３ｅがベース部材３２の一方の切り欠き３２ａから外方に突出すると共に、第２回転レバー３４の第２受部３４ｅがベース部材３２の他方の切り欠き３２ｂから外方に突出し、また、第１検知アーム３３ｃと第２検知アーム３４ｃが支軸３１を中心として上下方向に異なる平面内を回動可能となる。
【００２７】
捩りコイルばね３５は、両円筒部３３ｂ，３４ｂの周囲に巻回された巻回部３５ａと、巻回部３５ａの両端から外方へ突出する第１腕部３５ｂおよび第２腕部３５ｃとを有しており、第１腕部３５ｂは第１回転レバー３３の第１作動翼片３３ｄに掛止され、第２腕部３５ｃは第２回転レバー３４の第２作動翼片３４ｄに掛止されている。ここで、第１腕部３５ｂの長さは第２腕部３５ｃに比べてかなり短寸に設定されており、これによって捩りコイルばね３５から両回転レバー３３，３４に対して大きさの異なる弾発力が付与されるようになっている。具体的には、第１回転レバー３３は短寸側の第１腕部３５ｂから比較的小さな弾発力を受けて一方向（図６の矢印Ａ方向）に回動付勢され、第２回転レバー３４は長寸側の第２腕部３５ｃから大きな弾発力を受けて他方向（図６の矢印Ｂ方向）に回動付勢されている。
【００２８】
フォトセンサ３６は透過光の遮光の有無を検出するフォトインタラプタと呼ばれる光センサであり、このフォトセンサ３６は凹溝３６ａを挟んで上下方向に対向配置された発光素子３８と受光素子３９とを有している（図８参照）。発光素子３８は例えば赤外発光ダイオードからなり、この発光素子３８は凹溝３６ａの天井面に配置されて下方へ赤外光を発光する発光部である。受光素子３９は例えばフォトトランジスタからなり、この受光素子３９は凹溝３６ａの内底面に配置されて発光素子３８から発光される赤外光を受光する受光部である。発光素子３８から発光されて発光素子３８に至る赤外光の経路がフォトセンサ３６の光路であり、受光素子３９が発光素子３８からの赤外光を受光すると、その受光量に比例したコレクタ電流が流れ、フォトセンサ３６からＬｏｗ信号が出力される。一方、フォトセンサ３６の光路が遮断されて受光素子３９の受光量がゼロになると、コレクタ電流は流れなくなり、フォトセンサ３６からＨｉｇｈ信号が出力される。なお、これとは逆に、受光素子３９が発光素子３８からの赤外光を受光するとＨｉｇｈ信号を出力し、発光素子３８から受光素子３９に至る光路が遮断されるとＬｏｗ信号を出力するタイプのフォトセンサ３６を用いることも可能である。
【００２９】
図５や図８に示すように、フォトセンサ３６は凹溝３６ａを支軸３１に対向させた状態でベース部材３２の短辺側壁に取り付けられており、第１回転レバー３３の第１検知アーム３３ｃと第２回転レバー３４の第２検知アーム３４ｃとがフォトセンサ３６の凹溝３６ａに対して出入可能となっている。ここで、第１検知アーム３３ｃと第２検知アーム３４ｃは先端部の平面形状を互いに異にしており、両検知アーム３３ｃ，３４ｃが凹溝３６ａ内に侵入したとき、第１検知アーム３３ｃはフォトセンサ３６の光路を１回だけ遮断し、第２検知アーム３４ｃはフォトセンサ３６の光路を２回遮断するようになっている。すなわち、第１検知アーム３３ｃと第２検知アーム３４ｃが共にフォトセンサ３６の光路から外れた非検知位置にある場合、発光素子３８から発光される赤外光が受光素子３９で受光されるため、前述したようにフォトセンサ３６からＬｏｗ信号が出力される。これに対し、第１検知アーム３３ｃがフォトセンサ３６の凹溝３６ａ内に侵入すると、発光素子３８から受光素子３９に至る光路が第１検知アーム３３ｃによって遮断されるため、そのタイミングでフォトセンサ３６の出力信号がＬｏｗからＨｉｇｈへと切り換わる。また、スリット３４ｆを有する二股形状の第２検知アーム３４ｃがフォトセンサ３６の凹溝３６ａ内に侵入すると、発光素子３８から受光素子３９に至る光路が第２検知アーム３４ｃで一旦遮断された後、スリット３４ｆを透過して再び遮断されるため、フォトセンサ３６の出力信号がＬｏｗ−Ｈｉｇｈ−Ｌｏｗ−Ｈｉｇｈと連続的に切り換わる。したがって、かかるフォトセンサ３６の出力波形に基づいて、第１検知アーム３３ｃと第２検知アーム３４ｃのいずれがフォトセンサ３６の凹溝３６ａ内に侵入したかを判定することができる。
【００３０】
このように構成された扉開閉検出装置３０は、図５に示すように、ベース部材３２に両回転レバー３３，３４と捩りコイルばね３５およびフォトセンサ３６等を組み込んでユニット化することができるため、パチンコ機Ｐに取り付ける前の部品管理や搬送時等において１つのユニット部品として取り扱うことができる。しかも、かかるユニット品の状態で両回転レバー３３，３４は一定の開き角度で安定的に保持されるため、扉開閉検出装置３０を本体枠２に対して簡単に組み付けることができる。以下、かかる扉開閉検出装置３０の動作を主として図９〜図１３に基づいて説明する。
【００３１】
本実施形態例に係るパチンコ機Ｐにおいて、常態では、本体枠２が機枠１に対して閉じられていると共に、前面扉３が本体枠２に対して閉じられているため、図９に示すように、扉開閉検出装置３０の第１回転レバー３３と第２回転レバー３４の各受部３３ｅ，３４ｅはそれぞれ機枠１の前面と前面扉３の背面に当接し、第１検知アーム３３ｃと第２検知アーム３４ｃは共にフォトセンサ３６の光路から外れた非検知位置に保持されている。この場合、フォトセンサ３６の発光素子３８から発光された赤外光が受光素子３９で受光されることにより、受光素子３９に所定のコレクタ電流が流れるため、図１３（ａ）に示すように、フォトセンサ３６から本体枠２と前面扉３が共に閉鎖状態であることを示す所定の波形（連続的なＬｏｗ信号）が出力される。
【００３２】
図１０に示すように、本体枠２が第１ヒンジ機構を中心に回転しながら機枠１に対して開放動作されると、それまで第１受部３３ｅを機枠１の前面に当接させていた第１回転レバー３３が捩りコイルばね３５の付勢力によって同図の反時計方向に回転し、第１作動翼片３３ｄがベース部材３２の切り欠き３２ａの一端部に当接した時点で第１回転レバー３３は停止する。このようにして第１回転レバー３３が非検知位置から所定角度だけ回転すると、第１検知アーム３３ｃがフォトセンサ３６の凹溝３６ａ内に侵入するため、発光素子３８から受光素子３９に向かう赤外光の光路が第１検知アーム３３ｃによって遮断される。その結果、受光素子３９にコレクタ電流が流れなくなるため、図１３（ｂ）に示すように、フォトセンサ３６から本体枠２が開放状態であることを示す所定の波形（ＬｏｗからＨｉｇｈに変化する信号）が出力される。
【００３３】
また、図１１に示すように、前面扉３が第２ヒンジ機構を中心に回転しながら本体枠２に対して開放動作されると、それまで第２受部３４ｅを前面扉３の背面に当接させていた第２回転レバー３４が捩りコイルばね３５の付勢力によって同図の時計方向に回転し、それに伴って第２検知アーム３４ｃが非検知位置からフォトセンサ３６の凹溝３６ａに向かって回転する。その際、第２検知アーム３４ｃは第１回転レバー３３の第１検知アーム３３ｃの下面側を回転するが、第２検知アーム３４ｃが第１検知アーム３３ｃの下面に形成された係合突起３３ｆに当接した時点で第２回転レバー３４は停止する。このようにして第２回転レバー３４が非検知位置から所定角度だけ回転すると、スリット３４ｆを有する第２検知アーム３４ｃがフォトセンサ３６の凹溝３６ａ内に侵入するため、発光素子３８から受光素子３９に至る光路が第２検知アーム３４ｃで一旦遮断された後、スリット３４ｆを透過して再び遮断される。その結果、図１３（ｃ）に示すように、フォトセンサ３６から前面扉３が開放状態であることを示す所定の波形（Ｌｏｗ−Ｈｉｇｈ−Ｌｏｗ−Ｈｉｇｈに変化する信号）が出力される。
【００３４】
また、図１２に示すように、本体枠２が機枠１に対して開放動作された後、引き続いて前面扉３が本体枠２に対して開放動作された場合は、まず、第１回転レバー３３の第１検知アーム３３ｃがフォトセンサ３６の凹溝３６ａ内に侵入することで、発光素子３８から受光素子３９に向かう赤外光の光路が第１検知アーム３３ｃによって遮断される。この状態で前面扉３が本体枠２に対して開放動作されると、第２検知アーム３４ｃがフォトセンサ３６の凹溝３６ａ内で停止している第１検知アーム３３ｃの係合突起３３ｆに当接するが、その際、第１回転レバー３３に比べて第２回転レバー３４の方が捩りコイルばね３５から大きな回動付勢力を受けているため、第２検知アーム３４ｃが第１検知アーム３３ｃを押し退けながらフォトセンサ３６の光路を横切ることになる。その結果、第１検知アーム３３ｃで遮断されていた光路がスリット３４ｆを一旦透過した後、再び第２検知アーム３４ｃで遮断されるため、図１３（ｄ）に示すように、フォトセンサ３６から本体枠２と前面扉３の両方が開放状態であることを示す所定の波形（Ｌｏｗ−Ｈｉｇｈ−Ｌｏｗ−Ｈｉｇｈに変化する信号）が出力される。
【００３５】
なお、フォトセンサ３６には図示せぬワイヤーハーネス類が接続されており、このワイヤーハーネス類を本体枠２の背面側の払出制御基板２０や主制御基板１７等を介して外部端子基板２２に接続することにより、フォトセンサ３６から図１３（ａ）〜（ｄ）に示すような種々の波形信号が出力されたときに、その出力波形に基づいて本体枠２や前面扉３が開放動作されたことをスピーカ６，１２からの警報音で外部に報知したり、遊技場のホールコンピュータに扉開放信号を送信することができるようになっている。
【００３６】
以上説明したように、本実施形態例に係るパチンコ機Ｐでは、機枠１に対する本体枠２の開放動作と本体枠２に対する前面扉３の開放動作とを検出可能な扉開閉検出装置３０が本体枠２に設置され、この扉開閉検出装置３０が、本体枠２に配設された光透過型のフォトセンサ３６と、このフォトセンサ３６の光路を横切るように移動可能に配設された一対の回転レバー（検知体）３３，３４と、これら両回転レバー３３，３４を機枠１と前面扉３に向けて互いに逆向きに付勢する捩りコイルばね（ばね部材）３５とを有すると共に、本体枠２または前面扉３の開放動作に伴っていずれか一方の回転レバー３３，３４が移動したとき、各回転レバー３３，３４がフォトセンサ３６の光路を互いに異なる回数だけ遮断するように構成されているため、１つのフォトセンサ３６の出力波形に基づいて本体枠２と前面扉３の開閉状態を個別に検出することができると共に、フォトセンサ３６に接続されるワイヤーハーネス類の引き回しを本体枠２側のみで簡単に行うことができる。
【００３７】
また、支軸３１が立設されたベース部材３２を備え、この支軸３１に回転可能に支持された回転レバー３３，３４を検知体として用いると共に、これら両回転レバー３３，３４の一方にフォトセンサ３６の光路を通過させるスリット３４ｆを形成したので、平面形状の異なる一対の回転レバー３３，３４がベース部材３２の支軸３１を中心に回転することで、スリット３４ｆの有無に応じてフォトセンサ３６から異種の出力波形が得られ、これら出力波形に基づいて本体枠２と前面扉３のいずれが開放されたかを容易に判定することができる。しかも、扉開閉検出装置３０の構成部品をベース部材３２に組み込んで１つのユニット品として取り扱うことが可能になるため、扉開閉検出装置３０の本体枠２に対する組立作業性を著しく高めることができる。
【００３８】
さらに、両回転レバー３３，３４に対する捩りコイルばね３５の付勢力を大小で異ならせると共に、一方の回転レバー３３に他方の回転レバー３４と当接可能な係合突起３３ｆを形成してあり、本体枠２の開放動作に引き続いて前面扉３を開放動作したとき、大きな付勢力を受けて回転する回転レバー３４がもう一つの回転レバー３３を押し退けながらフォトセンサ３６の光路内に侵入するように構成されているため、本体枠２と前面扉３のいずれか一方の開放動作のみならず、本体枠２と前面扉３の両方が開放されたことも検出できる。
【００３９】
なお、上記実施形態例では、扉開閉検出装置３０を本体枠２の右下隅部に取り付けた場合について説明したが、扉開閉検出装置３０の取付位置は本体枠２の自由端側であればどこでも良く、例えば、扉開閉検出装置３０を本体枠２の右上隅部に取り付けることも可能である。
【００４０】
また、上記実施形態例では、透明板４や操作ハンドル１６等が設けられた一体型の前面扉３を本体枠２に開閉可能に軸支したパチンコ機Ｐについて説明したが、透明板等が設けられた上扉と操作ハンドル等が設けられた下扉とからなる分離タイプの前面扉にも本発明は適用可能であり、その場合、上扉を開放しない限り下扉を開放できないようになっていれば、一方の回転レバー３４を上扉の背面に当接させることにより、本体枠２に対する上扉の開閉状態を扉開閉検出装置３０を用いて検出することができる。
【００４１】
また、上記実施形態例では、両回転レバー３３，３４に対する捩りコイルばね３５の付勢力を大小で異ならせ、大きな付勢力を受けて回転する一方の回転レバー３４を係合突起３３ｆに当接させて他方の回転レバー３３と共回りさせるようにしたので、本体枠２と前面扉３のいずれか一方の開放動作のみならず、本体枠２と前面扉３の両方が開放されたことも検出できるが、係合突起３３ｆを省略して両回転レバー３３，３４が同等の付勢力で独立して回転するようにしても良い。その場合、本体枠２と前面扉３が連続して開放動作されたとき、先に動作された方の開放状態しか検出できないが、上記実施形態例と同様に、１つのフォトセンサ３６の出力波形に基づいて本体枠２と前面扉３の開閉状態を個別に検出することはできる。
【００４２】
また、上記実施形態例では、両回転レバー３３，３４の回動付勢力を異ならせる手段として、捩りコイルばね３５の巻回部３５ａから突出する一対の腕部３５ｂ，３５ｃの長さ寸法を異ならせ、これら両腕部３５ｂ，３５ｃを対応する回転レバー３３，３４にそれぞれ掛止するようにしたが、両回転レバー３３，３４をばね常数の異なる２種類の捩りコイルばねを用いて個別に付勢するようにしても良い。
【００４３】
また、上記実施形態例では、スリットを持たない一方の回転レバー３３の回転によってフォトセンサ３６の光路を１回遮断させ、１つのスリット３４ｆを有する他方の回転レバー３４の回転によってフォトセンサ３６の光路を２回遮断させる場合について説明したが、両回転レバー３３，３４によるフォトセンサ３６の光路の遮断回数はこれに限定されるものではない。例えば、一方の回転レバーに１つのスリットを形成すると共に、他方の回転レバーに２つのスリットを形成することにより、一方の回転レバーの回転によってフォトセンサの光路を２回遮断させ、他方の回転レバーの回転によってフォトセンサの光路を３回遮断させるように構成することも可能であり、要は、一方の回転レバーがフォトセンサの光路をＮ回（Ｎは自然数）だけ遮断すると共に、他方の回転レバーがフォトセンサの光路をＮと異なる回数だけ遮断するようになっていれば良い。
【符号の説明】
【００４４】
１  機枠
２  本体枠
３  前面扉
７  遊技盤
１１  施錠装置
１７  主制御基板
１８  副制御基板
２２  外部端子基板
３０  扉開閉検出装置
３１  支軸
３２  ベース部材
３２ａ，３２ｂ  切り欠き
３３  第１回転レバー（検知体）
３３ａ  軸孔
３３ｂ  円筒部
３３ｃ  第１検知アーム
３３ｄ  第１作動翼片
３３ｅ  第１受部
３３ｆ  係合突起
３４  第２回転レバー（検知体）
３４ａ  軸孔
３４ｂ  円筒部
３４ｃ  第２検知アーム
３４ｄ  第２作動翼片
３４ｅ  第２受部
３４ｆ  スリット
３５  捩りコイルばね（ばね部材）
３５ａ  巻回部
３５ｂ  第１腕部
３５ｃ  第２腕部
３６  フォトセンサ
３６ａ  凹溝
３８  発光素子
３９  受光素子
Ｐ  パチンコ機（弾球遊技機）
【図１】
2013055990.tif 000003
【図２】
2013055990.tif 000004
【図３】
2013055990.tif 000005
【図４】
2013055990.tif 000006
【図５】
2013055990.tif 000007
【図６】
2013055990.tif 000008
【図７】
2013055990.tif 000009
【図８】
2013055990.tif 000010
【図９】
2013055990.tif 000011
【図１０】
2013055990.tif 000012
【図１１】
2013055990.tif 000013
【図１２】
2013055990.tif 000014
【図１３】
2013055990.tif 000015